Podtech/llm-jp-corpus-v4-ja_patent huggingface dataset:
(57)【要約】      （修正有）【課題】金属表面に刺繍装飾物を溶着して金型不要で高い装飾性と多様なデザインのベルトバックル等の少量生産を、短時間、低コストで可能にする金属製ベルトバックルを提供する。【解決手段】特殊刺繍糸を用いた刺繍を水溶性基布に施した刺繍装飾物を、金属表面に高透明度両面接着シートにて固定貼付けたのち、刺繍以外の水溶性基布を水流にて除去する。さらに刺繍装飾物が直接外部に接触する事による汚れ、剥落防止のために刺繍全面と周囲の金属に紫外線硬化樹脂を塗布してから紫外線を照射して刺繍装飾と金属表面を強固に溶着結合及び硬化して刺繍を保護する透明膜となる。この透明膜により刺繍装飾物は保護されて汚れ剥落の心配が無い経年変化に耐えるバックル等とする。同様に金属表面に装飾するプレート一般物へこの技術を供する。【選択図】図３
0003190446.tif 000002
【実用新案登録請求の範囲】
【請求項１】
金属表面に電脳刺繍装飾物を溶着固定することに関するものである。
【考案の詳細な説明】
【技術分野】
【０００１】本考案は、電脳刺繍を水溶性基布から取除いて刺繍本体のみを各種金属プレート表面に装飾として溶着に関するものである。
【背景技術】
【０００２】本考案は下記の３個の技術を適時使用する。
電脳刺繍ＣＡＤソフト（ＳｔｉｔｃｈＡｒｔｉｓｔ）による電脳刺繍データ−作成（弊社開発フリー）電脳刺繍装飾物の制作には特殊刺繍糸と水溶性基布を使用する。
金属表面への装飾物の固定、溶着、一体化には紫外線硬化樹脂技術を使用する。
【先行技術文献】
【特許文献】
【０００３】
【特許文献１】登録実用新案  ３１３３５７８号  公報
【特許文献２】登録実用新案  ３１８１７３１号  申請人登録済
【非特許文献】
【０００４】
【非特許文献１】有限会社ラム運営、電脳刺繍美術館（刺繍家紋帖）  ｈｔｔｐ：／／ｗｗｗ．ｃｅｄａ．ｏｒｇ  日本古来の家紋２００種以上を電脳刺繍化して利用者に供している
【考案の概要】
【考案が解決しようとする課題】
【０００５】従来の金属表面に装飾するための技術には主に金型が使用され、この生産方法では金型制作費、製造時間がネックとなり安価な多品種、少量生産は不可能である。
【課題を解決するための手段】
【０００６】本考案では金属表面の装飾には特殊水溶性基布に特殊刺繍糸を使用して電脳刺繍装飾物を作成して使用します。金属表面への固定にはＰＰフィルムベース両面接着シートを使用して接着したのち水流にて水溶性刺繍基布を除去乾燥させます。
乾燥した金属表面と刺繍装飾物に紫外線硬化樹脂を均一に塗布後に紫外線を照射して硬化一体化させます。
必要に応じてアクリルペイントにて表面に模様を付加して再度、紫外線硬化樹脂の塗布と紫外線照射を繰返し硬化させデザインを向上させます。
【考案の効果】
【０００７】金型不要のため誰でも自由にデザインして容易に金属プレートに刺繍を施した各種製品（ベルトバックル、バッヂ等）を低価格で生産可能にします。また刺繍装飾物と金属は紫外線硬化樹脂膜により高度に溶着結合しますので、高い防水性と経年変化による劣化問題は発生しません。
【図面の簡単な説明】
【０００８】
【図１】バックルベース本体
【図２】バックルに刺繍装飾物を両面接着シートにて配置固定した。
【図３】バックル表面に紫外線硬化樹脂を塗布して紫外線を照射し硬化させて完成。
【考案を実施するための形態】
【実施例】
【０００９】以下、添付図面に従って実施例を説明する。
図１：は金属製ベルトバックルで装飾は無く空白である。
図２：は水溶性基布に電脳刺繍した刺繍装飾物を両面接着シートにてバックルに固定したのち刺繍本体以外の不要部分を水流で除去する。
図３：はバックル上の刺繍装飾物と周囲を紫外線硬化樹脂にて塗布後に紫外線照射しバックルと刺繍装飾物を溶着一体化したものである。
【符号の説明】
【００１０】１  金属製ベルトバックル本体
２  電脳刺繍装飾物本体（水溶性基布使用）
３  バックルと刺繍装飾物が溶着して一体化した状態。
【図１】
0003190446.tif 000003
【図２】
0003190446.tif 000004
【図３】
0003190446.tif 000005
【手続補正書】
【提出日】平成25年11月28日(2013.11.28)
【手続補正１】
【補正対象書類名】実用新案登録請求の範囲
【補正対象項目名】全文
【補正方法】変更
【補正の内容】
【実用新案登録請求の範囲】
【請求項１】
金属製ベルトバックル表面に電脳刺繍装飾物を溶着固定することに関するものである。
【手続補正書】
【提出日】平成26年2月7日(2014.2.7)
【手続補正１】
【補正対象書類名】実用新案登録請求の範囲
【補正対象項目名】全文
【補正方法】変更
【補正の内容】
【実用新案登録請求の範囲】
【請求項１】
略円形状の金属ベルトバックルの表面に電脳刺繍装飾物を溶着固定した金属製ベルトバックル。
【手続補正３】
【補正対象書類名】明細書
【補正対象項目名】０００１
【補正方法】変更
【補正の内容】
【０００１】本考案は、電脳刺繍装飾物を水溶性基布から取除いて、略円形金属ベルトバックルの表面に電脳刺繍装飾物を溶着固定して金属ベルトバックルの装飾とするものである。
【手続補正４】
【補正対象書類名】明細書
【補正対象項目名】０００５
【補正方法】変更
【補正の内容】
【０００５】従来の金属ベルトバックル表面に装飾するための技術には主に金型が使用され、この生産方法では金型制作費が障害となり安価な多品種、少量生産は不可能である。
【手続補正５】
【補正対象書類名】明細書
【補正対象項目名】０００８
【補正方法】変更
【補正の内容】
【０００８】
【図１】表面は空白の略円形状金属ベルトバックル本体。
【図２】バックルに刺繍装飾物を両面接着シートにて配置固定した。
【図３】バックル表面に紫外線硬化樹脂を塗布して紫外線を照射し硬化させて完成。
【手続補正６】
【補正対象書類名】明細書
【補正対象項目名】０００９
【補正方法】変更
【補正の内容】
【０００９】
【実施例】
以下、添付図面に従って実施例を説明する。
［図１］は略円形金属製ベルトバックルで表面に装飾は無く空白である。
［図２］は水溶性基布に電脳刺繍した刺繍装飾物を両面接着シートにて略円形状金属バックル空白表面に固定したのち刺繍本体以外の基布部分を水流で除去する。
［図３］はバックル上の刺繍装飾物と周囲を紫外線硬化樹脂にて塗布後に紫外線照射しバックルと刺繍装飾物を溶着一体化したものである。
【手続補正７】
【補正対象書類名】明細書
【補正対象項目名】００１０
【補正方法】変更
【補正の内容】
【００１０】
【符号の説明】
１  略円形状の金属製ベルトバックル本体
２  電脳刺繍装飾物本体（水溶性基布使用）
３  略円形状金属バックル表面上に刺繍装飾物が溶着して一体化した状態。
(57)【要約】      （修正有）【課題】丈の短い子供用キャディバックを乗用ゴルフカートに安定的に固定できる子供用キャディバックの保持具を提供する。【解決手段】中間部１に子供用キャディバックを置きベルト２で固定する事によりフレーム３にしっかりと固定でき、大人用のキャディバックと同じ長さにする事ができ、これを乗用カート５に乗せた時にキャディバック底受部６と上部受部７の支持点２箇所で大人用とおなじように安定して固定する事ができる。中間部に置かれた子供用キャディバックをベルトで固定する事により保持具と一体化させ、安定感を持たせ尚且つ大人用のキャディバックと同じ丈になるのでしっかりと乗用カートに固定できる。【選択図】図４
0003190494.tif 000002
【実用新案登録請求の範囲】
【請求項１】
フレームと、前記フレームの中間に設けられ前記キャディバッグの底部を支持する支持部と、前記フレームに取り付けられ前記キャディバッグの中間部を保持する保持部とを有することを特徴とする子供用キャディバックの保持具。
【考案の詳細な説明】
【技術分野】
【０００１】
本考案は、丈の短い子供用キャディバックを乗用ゴルフカートに安定的に固定できる保持具に関する。
【背景技術】
【０００２】
子供用（ジュニア）のキャディバックは大人用に比べ丈が短く、乗用ゴルフカートに単体で固定できず、ゴルフ場側がダンボール箱などで応急的に大人用の高さに近づけ固定している。
【考案の概要】
【考案が解決しようとする課題】
【０００３】
ダンボール箱などで応急処置した見た目の悪さ  及びカート走行時の振動などでキャディバックが落ちそうになるという短所があった。  
【課題を解決するための手段】
【０００４】
本考案の子供用キャディバックの保持具は、フレームと、前記フレームの中間に設けられ前記キャディバッグの底部を支持する支持部と、前記フレームに取り付けられ前記キャディバッグの中間部を保持する保持部とを有することを特徴とする。
【考案の効果】
【０００５】
上記の構成により、子供用キャディバックを乗用ゴルフカートに簡単にしっかりと固定でき、見た目も改善するという作用効果が生じる。
【図面の簡単な説明】
【０００６】
【図１】この考案の実施例を示す側面図である。
【図２】上記実施例の斜視図である。
【図３】上記実施例の取付状態を示す説明図である。
【図４】上記実施例の使用状態を示す説明図である。
【考案を実施するための形態】
【実施例１】
【０００７】
中間部（キャディバッグの底部を支持する支持部）１に子供用キャディバックを置きベルト（キャディバッグの中間部を保持する保持部）２で固定する事により、フレーム３にしっかりと固定でき、大人用のキャディバックと同じ長さにする事ができ、これを乗用カート５に乗せた時にキャディバック底受部６と上部受部７の支持点２箇所で大人用とおなじように安定して固定する事ができる。
【産業上の利用可能性】
【０００８】
ジュニアゴルファーはこれから増えると思います。
（１）オリンピック競技になったこと
（２）以前より格段にゴルフプレー料金が安くなった事
（３）ゴルフ人口が減ってきている中、ゴルフ場の将来を賭け
ジュニアゴルファーの参加、育成に力を入れてきている。
以上の理由によりジュニアゴルファーの親、又ゴルフ場での
購入が見込まれる。
【符号の説明】
【０００９】
１    中間部      
２    固定ベルト  
３    フレーム  
４    子供（ジュニア）用キャディバック
５    乗用カート
６    キャディバック底部受け
７    キャディバック上部受け
【図１】
0003190494.tif 000003
【図２】
0003190494.tif 000004
【図３】
0003190494.tif 000005
【図４】
0003190494.tif 000006
【手続補正書】
【提出日】平成26年2月27日(2014.2.27)
【手続補正１】
【補正対象書類名】実用新案登録請求の範囲
【補正対象項目名】全文
【補正方法】変更
【補正の内容】
【実用新案登録請求の範囲】
【請求項１】
フレームと、前記フレームの中間に設けられキャディバッグの底部を支持する支持部と、前記フレームに取り付けられ前記キャディバッグの中間部を保持する保持部とを有することを特徴とする子供用キャディバックの保持具。
【手続補正２】
【補正対象書類名】明細書
【補正対象項目名】０００８
【補正方法】変更
【補正の内容】
【０００８】
ジュニアゴルファーはこれから増えると思います。
（１）オリンピック（登録商標）競技になったこと
（２）以前より格段にゴルフプレー料金が安くなった事
（３）ゴルフ人口が減ってきている中、ゴルフ場の将来を賭け
ジュニアゴルファーの参加、育成に力を入れてきている。
以上の理由によりジュニアゴルファーの親、又ゴルフ場での
購入が見込まれる。
(57)【要約】      （修正有）【課題】液体が入った破裂式パックとスポンジを同梱し圧縮パックした使い捨て液体入りスポンジ圧縮パックを提供する。【解決手段】本考案は液体が入った破裂式パック２とスポンジ３を圧縮パック１の中に圧縮し同封したもの。上記圧縮パックを折り曲げ、上記破裂式パックを破裂させ、液体を上記スポンジに塗布し、開封後、上記スポンジの液体を馴染ませると同時に上記スポンジの厚みを回復させ使用する。旅行等の際に洗体用品を嵩張ることなく１回分を持ち歩くことが出来る。【選択図】図１
0003190497.tif 000002
【実用新案登録請求の範囲】
【請求項１】
液体が入った破裂式パックとスポンジを同梱し圧縮パックした使い捨て液体入りスポンジ圧縮パック
【考案の詳細な説明】
【技術分野】
【０００１】本考案は、液体が入った破裂式パックとスポンジを同梱し圧縮パックした使い捨て液体入りスポンジ圧縮パックに関するものである。
【背景技術】
【０００２】例えば、入浴時に使用する液体ボディソープは通常スポンジまたはタオルに塗布し使用していることから旅行等の場合各々を携行する必要がある。
【考案の概要】
【考案が解決しようとする課題】
【０００３】入浴時に洗体する場合、通常、ボディソープをスポンジやタオルなどに塗布し使用されるが、旅行等で使用する場合この各々を携行する必要があることから嵩張ってしまう事やボディソープの予期せぬ不足等不便さを感じることが多くまた衛生上も好ましいとはいい難い。
そこで、このボディソープを一度の洗体に必要な適量を破裂式パックに封入しスポンジと一体化させ、尚且つ、携行時に嵩張らないように圧縮梱包することで前途の点を解決しようとするものである。
【課題を解決するための手段】
【０００４】本考案は、液体が入った破裂式パックとスポンジを同梱し圧縮パックすることにより問題点を解決している。
【考案の効果】
【０００５】上途の様に、本考案の使い捨て液体入りスポンジ圧縮パックは、ボディソープ等の液体とスポンジを同梱、圧縮パックする事により、持ち運びの上で嵩張らない事は勿論、１度に使い切ることで衛生上の問題を解決している。
旅行等に用いるだけでなく、防災、介護、看病等にも非常に役に立つ。
【図面の簡単な説明】
【０００６】
【図１】本考案の使い捨て液体入りスポンジ圧縮パックの一実施例を示す正面図である。
【図２】本製品の一部切欠断面図である。
【考案を実施するための形態】
【０００７】圧縮パック状態で製品を折り曲げることで、液体入り破裂式パックが破裂し、スポンジ上に液体が塗布される。
この状態から圧縮パック梱包したスポンジ取り出し、スポンジの厚み回復と同時に液体を馴染ませる。
その後スポンジで体を洗ったり、局部を洗浄し使用後は廃棄する。
【実施例】
【０００８】以下、添付図面に従って一実施例を説明する。１は圧縮パック本体、２は液体入り破裂式パックで３はスポンジである。
１を折り曲げ、２を破裂させ液体をスポンジ上に塗布、開封後、３に液体を馴染ませると同時にスポンジの厚みを回復させ使用する。
【符号の説明】
【０００９】１圧縮パック
２液体入り破裂式パック
３スポンジ
【図１】
0003190497.tif 000003
【図２】
0003190497.tif 000004
(57)【要約】      （修正有）【課題】廃トンネルの再利用と、特に風を集めて誘導しその風力により複数の風力発電機を稼動するトンネル式風力発電施設を提供する。【解決手段】トンネル１内に一定方向から随時吹く風を最大限に利用し、トンネル内に複数の風力発電機５を縦列に配し風力発電機と風力発電機の間には、風がうまく次の風力発電機の羽根にあたる様、風誘導板４をトンネル壁に設置することで全ての羽根を効率良く稼動し発電する。【選択図】図１
0003190499.tif 000002
【実用新案登録請求の範囲】
【請求項１】
廃トンネル内の貫通方向に複数設置された風力発電機と、該縦列に複数設置された風力発電機の羽根に近接し、トンネル壁に夫々設置された風誘導板と、からなるトンネル式風力発電施設。
【請求項２】
前記風誘導板は、風力発電機の羽根によってトンネル壁に拡散される風を、トンネル内に集中させる略ロート形状に形成されることを、特徴とする請求項１に記載のトンネル式風力発電施設。
【請求項３】
前記トンネルの一端側から所定距離離れた位置に逆風防止壁を設置し、風を一定方向に案内すると共に、騒音防止を図ることを、特徴とする請求項１に記載のトンネル式風力発電施設。
【考案の詳細な説明】
【技術分野】
【０００１】  本考案は廃トンネルの再利用と、特に風を集めて誘導しその風力により複数の風力発電機を稼働するトンネル式風量発電施設に関する。
【背景技術】
【０００２】  従来の風力発電施設には、広大な敷地と風の方向に対し羽の向きを変える必要があります。また落雷、騒音問題、高所でのメンテナンス費用等問題があります。これらの問題を解消するため、風力発電機をトンネル内に設置する事で上記の問題を解消する技術が提案されている。
【先行技術文献】
【特許文献】
【０００３】
【特許文献１】特開２０１３−１９８２０１
【考案の概要】
【考案が解決しようとする課題】
【０００４】  しかしながら、上記従来の風力発電施設ではトンネル内の風向きや、騒音などに関しては何らの考慮もされておらず、発電効果も十分なものではなかった。
【課題を解決するための手段】
【０００５】  本考案は、上記課題を解決することを目的としており、現在利用されていない廃トンネル（鉄道、国道、県道、私道）内を風力発電施設にすることを最も主要な特徴とする。
【考案の効果】
【０００６】  トンネル内に吹く風（自然エネルギー）を有効活用し風力発電機で安心、安全な発電が可能となる。更に使用していない廃トンネルを活用できる。
【図面の簡単な説明】
【０００７】
【図１】本考案のトンネル式風力発電施設を示す側面図である。
【図２】トンネル内部に風力発電機と風誘導板の正面から見た断面図である。
【図３】トンネル内部に風力発電機と風の出口側に設置した逆風防止壁の側面図である。
【考案を実施するための形態】
【０００８】  本発明の風力発電施設はトンネル内に複数の風力発電機を縦列配置し、且つ複数の風力発電機の間には風がうまく次の羽根にあたる様に、風の誘導板をトンネル壁に設置することで全ての風力発電機を効率良く稼働し発電する。
以下、図面に従って本考案の一実施例を説明する。
【実施例】
【０００９】  図１は、本考案のトンネル式風力発電施設の実施例の側面図であって１はトンネル壁、２はトンネルの風の取込口、３はトンネルの風の排出口、４は風誘導板、５は発電機、６は羽根、７は羽根と発電機を繋ぐ軸、８は羽根と発電機を支える支柱、９はトンネル内の風の流れを示す。【００１０】  図２は、本考案風力発電施設の実施例の図１のＡ−Ａ線断面図であって、１はトンネル壁、４は風誘導板を示す、５は発電機を示す。【００１１】  図３は、本考案風力発電施設の実施例のトンネルの風の排出口の側面図であって、１はトンネル壁、４は風誘導板、５は発電機、３はトンネルの風の排出口、９はトンネル内の風の流れ、１０は逆風防止壁を示す。
【産業上の利用可能性】
【００１２】  廃トンネルの再利用による風力電力供給を可能とするものである。
【符号の説明】
【００１３】  １  トンネル壁
２  トンネルの風の取込口
３  トンネルの風の排出口
４  風誘導板
５  発電機
６  風力発電機の羽根
７  風力発電機の羽根と発電機を繋ぐ軸
８  風力発電機の羽根、軸、発電機を支える支柱
９  トンネル内の風の流れ
１０逆風防止壁
【図１】
0003190499.tif 000003
【図２】
0003190499.tif 000004
【図３】
0003190499.tif 000005
(57)【要約】      （修正有）【課題】パンツ及びタイツと靴が分断されず下半身がすっきりとした印象になるパンツ及びタイツと同柄の靴を提供する。【解決手段】パンツ及びタイツに柄を施し、前記パンツ及びタイツに施した柄と同じ柄を靴にも施すことを特徴とする。【選択図】図１
0003190495.tif 000002
【実用新案登録請求の範囲】
【請求項１】
パンツ及びタイツに柄を施し、前記パンツ及びタイツに施した柄と同じ柄を靴にも施すことを特徴とするパンツ及びタイツと同柄の靴
【考案の詳細な説明】
【技術分野】
【０００１】  本考案は、パンツ及びタイツと同じ柄のパンプスやブ−ツ等の靴に関するものである。
【背景技術】
【０００２】  従来、いろいろな色や装飾を施した靴があったが、パンツやタイツと同じ柄のものはなかった。
【考案の概要】
【考案が解決しようとする課題】
【０００３】  下半身が一体となりすっきりとした印象のパンツ及びタイツとの組合せの靴を提供する。
【課題を解決するための手段】
【０００４】  パンツ及びタイツと同じ柄の靴を提供することで、パンツ及びタイツ部分と靴の部分が分断されず、一体となりすっきりとした印象になる。
【考案の効果】
【０００５】  スケ−タ−の選手が、タイツを靴の上に被せてはいている時のように、パンツ及びタイツと靴を一体化することで、脚を長く見せることができる。また、コ−ディネ−トの幅が広がる。
【図面の簡単な説明】
【０００６】
【図１】タイツと同柄のブ−ツ。
【考案を実施するための形態】
【０００７】  パンツ及びタイツと同じ柄の靴をセットとして提供する。
【実施例】
【０００８】  以下添付図に従って、一実施例を説明する。１は、タイツであり、２は、前記タイツと同じ柄の靴である。【０００９】  １のタイツと２の同じ柄の靴をセットとして提供する。
【符号の説明】
【００１０】  １  柄のついたタイツ
２  タイツと同じ柄のブ−ツ
【図１】
0003190495.tif 000003
(57)【要約】      （修正有）【課題】手や衣服を汚さずいつでも手軽に食べることができるとともに、製造コストを低く抑えることができる携帯用包装食品を提供する。【解決手段】樹脂フィルムからなる袋体２に食品３が充填された携帯用包装食品１であって、食品３は、加熱処理を施すことにより水分が除去された固形物食品である。【選択図】図１
0003190406.tif 000002
【実用新案登録請求の範囲】
【請求項１】
樹脂フィルムからなる有底筒状の袋体の開口部から食品が充填された携帯用包装食品であって、
前記食品は、加熱処理を施すことにより水分が除去された固形物食品である携帯用包装食品。
【請求項２】
前記袋体の開口部は、非金属製の紐体で縛ることにより閉じられる請求項１に記載の携帯用包装食品。
【考案の詳細な説明】
【技術分野】
【０００１】
本考案は、携帯用包装食品に関する。
【背景技術】
【０００２】
従来から、行楽地などに携行するものとして、予め加熱調理された食品を袋体に充填した携帯用包装食品が用いられている。携帯用包装食品の一例として、特許文献１や特許文献２に開示された構成が知られている。特許文献１に記載の携帯用包装食品は、予め加熱調理した食材が容易に崩れないような状態で棒状に成形され、プラスチックフィルムでパックされることにより、構成されている。また、特許文献２に記載の携帯用包装食品は、動物の腸又は人工腸からなる食用の袋体内に、米飯や具を充填した後、加熱処理された構成からなる。
【先行技術文献】
【特許文献】
【０００３】
【特許文献１】実用新案登録第３０１５９６７号公報
【特許文献２】特開平１１−３２７０８号公報
【考案の概要】
【考案が解決しようとする課題】
【０００４】
上記特許文献１に開示された携帯用包装食品は、持ち運ぶ際に、食品に含まれる汁などの液体が漏出しないよう製造時に食品を袋体に密封する必要があり、製造コストが高くなるという問題があった。また、プラスチックフィルムの開口時や喫食時に、食品に含まれる液体が開口部からこぼれ落ち、手や衣服を汚してしまうおそれがあった。
【０００５】
上記特許文献２に開示された携帯用包装食品は、袋体ごと食べるものであるため、携帯時は、別途袋などに入れて持ち運ぶ必要があり、取り扱いが煩雑であった。また、喫食時は、袋体に付着している油などで手が汚れるおそれや、逆に手の汚れが袋体に付着するおそれがあり、食べ難いという問題があった。
【０００６】
そこで、本考案は、手や衣服を汚さずいつでも手軽に食べることができるとともに、低コストで製造することができる携帯用包装食品の提供を目的とする。
【課題を解決するための手段】
【０００７】
本考案の前記目的は、樹脂フィルムからなる有底筒状の袋体の開口部から食品が充填された携帯用包装食品であって、前記食品は、加熱処理を施すことにより水分が除去された固形物食品である携帯用包装食品により達成される。
【０００８】
この携帯用包装食品の前記袋体の開口部は、非金属製の紐体で縛ることにより閉じられることが好ましい。
【考案の効果】
【０００９】
本考案によれば、手や衣服を汚さずいつでも手軽に食べることができるとともに、低コストで製造することができる携帯用包装食品を提供することができる。
【図面の簡単な説明】
【００１０】
【図１】本考案の一実施形態に係る携帯用包装食品の側面図である。
【図２】図１に示す携帯用包装食品の袋体閉口前の状態を示す概略断面図である。
【考案を実施するための形態】
【００１１】
以下、本考案の一実施形態について添付図面を参照しつつ説明する。図１は、本考案の一実施形態に係る携帯用包装食品の側面図であり、図２は、図１に示す携帯用包装食品の袋体閉口前の状態を示す概略断面図である。図１および図２に示すように、携帯用包装食品１は、袋体２と、袋体２に充填される食品３とから構成される。
【００１２】
袋体２は、ポリエチレン等の柔軟な樹脂フィルムを素材とする有底長筒状に形成されており、胴部４の一端側に開口部５を有している。本実施形態では、胴部４の内径を長手方向の全体にわたって一定にすることで、食品３の充填や喫食を容易にしているが、収容量を確保するために、胴部４の径が上部よりも下部が大きくなる構成にしてもよい。
【００１３】
食品３が充填された袋体２は、開口部５のやや下方を紐体６で縛ることにより、閉口されている。紐体６は、非金属製であることが好ましく、例えば、樹脂製の芯材を有するモール、麻紐または木綿紐などを用いることができる。
【００１４】
食品３は、加熱処理を施して、保存状態において水分が染み出さない程度にまで水分を除去した後、袋体２に充填される。食品３は、固形物であれば特に制限はなく、米飯、麺、肉、魚、卵、野菜またはこれらの組み合わせなどを用いることができる。加熱処理は、炒め、焼き、加熱乾燥または加熱燻製などの方法により行うことができる。
【００１５】
本考案の一実施例として、チャーハンを食品３として用いる場合について説明する。十分に熱したフライパンに油をひいた後、米飯と、肉、野菜、卵などの具材と、醤油、食塩、胡椒、アルコールなどの調味料とを加え、強火で炒めることにより、表面の粘り気がなくなる程度にまで水分を除去する。チャーハン完成時における米飯の水分含有率は、４０〜５５％の範囲内であることが望ましく、この場合、保存状態において、チャーハンから水分が染み出ることはなく、また、より好ましい食感のチャーハンを得ることができる。その後、直接または漏斗状の充填具を用いることにより、棒状の袋体２内に完成したチャーハンを少しずつ供給する。供給したチャーハンを棒状体等の先端で適宜加圧しながら、袋体２内に所定量を充填し、袋体２の開口部５のやや下方を紐体６で閉じることにより、携帯用包装食品１を得ることができる。
【００１６】
上記の構成を備える携帯用包装食品１は、カバン等にそのまま入れて持ち運ぶことができる。また、喫食時は、紐体６を外し、袋体２の下部を握って、食品３を上方へ押し出すことにより、開口部５から直接食すことができる。
【００１７】
本実施形態の携帯用包装食品１によれば、加熱処理を施すことにより水分が除去された固形物食品３が袋体２に充填されていることにより、持ち運ぶ際に、袋体２から食品３に含まれる汁などの液体が漏出するおそれはないため、食品３を袋体２に密封する必要はなく、製造工程を短縮することが可能となり、低コストで製造することができる。また、袋体２の開口時や喫食時においても、液体が袋体２の開口部５からこぼれ落ちることはないため、手や衣服が汚れるおそれがなく、手軽に食べることができる。
【００１８】
また、袋体２の開口は、非金属製の紐体６で縛って閉じられることにより、紐体６を外すだけで、簡単に食品３を喫食することができる。紐体６は、非金属製であることが好ましく、これにより、紐体６を取り付けたままの状態で、電子レンジを用いて加熱調理することができ、利便性を高めることができる。
【符号の説明】
【００１９】
１  携帯用包装食品
２  袋体
３  食品
４  胴部
５  開口部
６  紐体
【図１】
0003190406.tif 000003
【図２】
0003190406.tif 000004
(57)【要約】      （修正有）【課題】下着や肌上に着ても、下着や肌等が透けて見えないＴシャツを提供する。【解決手段】前身頃１１と後身頃１３とは、脇腹及び肩の部分で糸５１で縫い合わされている。透防止用布３１の外周付近の領域が前身頃１１に糸４１で縫い合わされている。前身頃１１の胸に当たる部分を含む領域に透防止用布３１が縫い合わされている。透防止用布３１は、例えば、透防止の観点から黒や青等の濃い色を用いることが好ましい。【選択図】図２
0003190405.tif 000002
【実用新案登録請求の範囲】
【請求項１】
前身頃と、後身頃と、左右の袖部とを縫合して形成された被服であって、
前記前身頃の胸領域部分を含む一部が、２枚の生地を重ね合わせて構成されている
Ｔシャツ。
【請求項２】
前身頃と、後身頃と、左右の袖部とを縫合して形成されたＴシャツであって、
前記前身頃の全体が、２枚の生地を重ね合わせて構成されている
Ｔシャツ。
【考案の詳細な説明】
【技術分野】
【０００１】
本考案は、前身頃に特徴があるＴシャツに関する。
【背景技術】
【０００２】
Ｔシャツは、夏場は上着を着用せずそのまま、あるいは重ね着などにも用いられ、ラフなスタイルには欠かせない定番のファッション・アイテムである。
【考案の概要】
【考案が解決しようとする課題】
【０００３】
ところで、Ｔシャツは、肌の上に直接着用する肌着であり、例えば、素材は綿１００％や麻、ポリエステル、ポリウレタンとの混紡の場合が多い。
そのため、Ｔシャツを下着や肌上に着ると、下着や肌等が透けて見えることがある。
このように下着や肌等が透けて見えないようにしたいという要請がある。
【０００４】
本考案はかかる事情に鑑みてなされたものであり、その目的は、下着や肌上に着ても、下着や肌等が透けて見えないＴシャツを提供することにある。
【課題を解決するための手段】
【０００５】
上述した従来技術の問題点を解決し、上述した目的を達成するために、第１の考案のＴシャツは、前身頃と、後身頃と、左右の袖部とを縫合して形成された被服であって、前記前身頃の胸領域部分を含む一部が、２枚の生地を重ね合わせて構成されている。
これにより、被着時に被着者の胸等は透けて見えない。
【０００６】
第２の考案のＴシャツは、前身頃と、後身頃と、左右の袖部とを縫合して形成されたＴシャツであって、前記前身頃の全体が、２枚の生地を重ね合わせて構成されている。
【考案の効果】
【０００７】
本考案によれば、下着や肌上に着ても、下着や肌等が透けて見えないＴシャツを提供することができる。
【図面の簡単な説明】
【０００８】
【図１】図１は、本考案の第１実施形態のＴシャツの正面図である。
【図２】図２は、図１に示すＴシャツの断面線Ａ−Ａにおける断面図である。
【図３】図３は、本考案の第２実施形態のＴシャツの前身頃の箇所の部分断面図である。
【考案を実施するための形態】
【０００９】
［第１実施形態］
図１は、本発明の第１実施形態のＴシャツ１の正面図である。
図１に示すように、Ｔシャツ１は、例えば、前身頃１１と、後身頃１３（図１には図示せず）、左袖部１５、右袖部１７と、ネック部１９とを縫合して形成されている。
図２は、図１に示すＴシャツ１の断面線Ａ−Ａにおける断面図である。
【００１０】
図１及び図２に示すように、Ｔシャツ１の前身頃１１の一部の領域には、長方形の透防止用布３１が縫い合わされている。
図２に示すように、前身頃１１と後身頃１３とは、脇腹及び肩の部分で糸５１で縫い合わされている。
また、透防止用布３１の外周付近の領域が前身頃１１に糸４１で縫い合わされている。
【００１１】
図１に示すように、前身頃１１の胸に当たる部分を含む領域に透防止用布３１が縫い合わされている。
透防止用布３１は、例えば、透防止の観点から黒や青等の濃い色を用いることが好ましい。
【００１２】
以上説明したように、Ｔシャツ１によれば、前身頃１１に透防止用布３１を縫い合わすことで、下着や肌上に着ても、下着や肌等が透けて見えない。
［第２実施形態］
上述した実施形態では、前身頃１１の一部に透防止用布３１を縫い合わせた場合を例示したが、本実施形態では、前身頃を２重にする。
図３は、本実施形態のＴシャツの前身頃１１の箇所の部分断面図である。
図３に示すように、本実施形態のＴシャツでは、透防止用布３１が前身頃１１と同じ形状を有しており、前身頃１１と透防止用布３１とが重ねて縫い合わされている。
この構成によっても、第１実施形態と同様の効果が得られる。
【００１３】
［第３実施形態］
本実施形態のＴシャツでは、スナップボタン等で、透防止用布３１を前身頃１１に着脱自在に取り付ける。
前身頃１１に取り付ける透防止用布３１を取り換えることで、様々なデザインを楽しむことができる。
【００１４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
図１に示すＴシャツ１では、左袖部１５及び右袖部１７として半袖を例示したが、長袖でもよい。
【００１５】
また、ネック部１９とは、Ｖネック、Ｕネック、ボートネック、キーネック、ヘンリーネック、ボタン付きのシャツ、クルーネック(丸首)、ハイネック、タートルネック(徳利首)等、特に限定されない。
【産業上の利用可能性】
【００１６】
本考案は、Ｔシャツに適用可能である。
【符号の説明】
【００１７】
１…Ｔシャツ
１１…前身頃
１３…後身頃
１５…左袖部
１７…右袖部
３１…透防止用布
【図１】
0003190405.tif 000003
【図２】
0003190405.tif 000004
【図３】
0003190405.tif 000005
(57)【要約】      （修正有）【課題】ゲームが多様化している中で  歴史ある将棋をもっと分かりやすくし、ゲーム性を高める将棋駒を提供する。【解決手段】将棋駒に、戦国時代の武士の人形を配置して、貴族社会の面影を表現することを特徴とする。【選択図】図１
0003190440.tif 000002
【実用新案登録請求の範囲】
【請求項１】
将棋の駒を人形＜戦国武士＞にして徳川軍・武田軍・上杉軍  等  別々の駒にして戦う。
【考案の詳細な説明】
【技術分野】
【０００１】この新案は将棋の駒を人形にしたものである。
【背景技術】
【０００２】  従来の将棋は他のゲームに比べて視覚性が少なく愛好者が少なくなっているように感じる。
【実用新案の開示】
【実用新案が解決しようとする課題】
【０００３】  従来の駒は漢字で  子ども・外人等に分かりにくい。
【課題を解決するための手段】
【０００４】イ、  将棋の駒を人形＜戦国武士＞にして見た目で分かりやすくする。
ロ、  ゲーム性を高めるため  駒に点数をつけ時間内でも判定できるようにする。
【実用新案の効果】
【０００５】  将棋のルールが分かりやすく知らない人も興味を持ってもらい愛好者が増える。
【実用新案を実施するための最良の形態】
【０００６】イ、材料は本来の木材を含めてプラスチック・鉄等その業種によって味わいのある人形ができる。
ロ、川中島の戦い・関ヶ原の戦い等  愛好者の競技大会を催す。
【図面の簡単な説明】
【０００７】
【図１】参考斜視図である。
【図２】正面図・背面図・平面図・底面図  左側面図・右側面図である。
【符号の説明】
【０００８】なし
0003190440.tif 000003
0003190440.tif 000004
0003190440.tif 000005
0003190440.tif 000006
【手続補正書】
【提出日】平成25年8月23日(2013.8.23)
【手続補正１】
【補正対象書類名】実用新案登録請求の範囲
【補正対象項目名】全文
【補正方法】変更
【補正の内容】
【実用新案登録請求の範囲】
【請求項１】
将稘の駒を人形＜戦国武士＞にして徳川軍・武田軍・上衫軍  等  別々の駒にして戦う。
【手続補正３】
【補正対象書類名】明細書
【補正対象項目名】０００７
【補正方法】変更
【補正の内容】
【０００７】
【図１】  参考斜視図
【図２】  正面図
【図３】  背面図
【図４】  正面図
【図５】  底面図
【図６】  左側面図
【図７】  右側面図
【手続補正４】
【補正対象書類名】図面
【補正対象項目名】全図
【補正方法】変更
【補正の内容】
【図１】
0003190440.tif 000007
【図２】
0003190440.tif 000008
【図３】
0003190440.tif 000009
【図４】
0003190440.tif 000010
【図５】
0003190440.tif 000011
【図６】
0003190440.tif 000012
【図７】
0003190440.tif 000013
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
将棋駒は、王将・飛車・角行・金将・銀将・桂馬・香車・歩兵の位別に８種類ある。この駒に、戦国時代の武士を合致して、通常の将棋に貴族社会をの面影を表現し、戦いを特徴とする将棋駒。
【手続補正書】
【提出日】平成26年2月24日(2014.2.24)
【手続補正１】
【補正対象書類名】実用新案登録請求の範囲
【補正対象項目名】全文
【補正方法】変更
【補正の内容】
【実用新案登録請求の範囲】
【請求項１】
将棋駒に、戦国時代の武士の人形を配置して、貴族社会の面影を表現することを特徴とする将棋駒。
(57)【要約】      （修正有）【課題】カラス貼りに使用する素材で、より美しさを求める女性に皺の箇所に簡単に貼り、その上から通常の化粧メークをするだけで美貌を保てる画期的美容の補助用品を提供する。【解決手段】カラスの足跡という年齢を増すと目尻からこめかみの方向に表れる細い皺について、特に女性の左右の目尻の皺を目立なくするために、目尻の際から三角形もしくは台形の形状をした極薄の絹織物か和紙の素材の物質１に、構造上、物質の片面に接着剤を施し、接着剤を施した面を直接目尻からこめかみの方向に皺の上から貼り、貼った後に通常の化粧メークをすることで、貼った物質１も目立なくし肌に近い肌色をした物質を直接目尻の皺に貼って皺を目立なくすることを特徴とした。【選択図】図２
0003190455.tif 000002
【実用新案登録請求の範囲】
【請求項１】
本願考案は、カラスの足跡という年齢を増すと目尻からこめかみの方向に表れる細い皺について、特に女性の左右の目尻の皺を目立なくするために、目尻の際から三角形もしくは台形の形状をした極薄の絹織物か和紙の素材の物質に、構造上、物質の片面に接着剤を施し、接着剤を施した面を直接目尻からこめかみの方向に皺の上から貼り、貼った後に通常の化粧メークをすることで、貼った物質も目立なくし肌に近い肌色をした物質を直接目尻の皺に貼って皺を目立なくすることを特徴としたカラス貼り。
【考案の詳細な説明】
【技術の分野】
【０００１】カラスの足跡という顔の目尻の皺について、特に女性が気にする皺を目立なくする美容の補助用品。
【背景技術】
【０００２】従来のカラスの足跡という目尻の皺について、女性は深刻な悩みがあった。皺を目立なくする美の追求は手術で皺を除去、皺の皮下にヒアルロン酸注入、皺の部分に厚化粧をするかの技術以外の方法は見当らない。
【先行技術文献】
【特許文献】
【０００３】
【特許文献１】先行技術及び特許分献に関して、くわしく調査を行ったが、時代劇などに使用するカツラと額との間を目立なくするために直接布の部分に化粧をして繋ぎ目をわからなくするなどは承知しているが、目尻の皺の箇所に肌色の絹織物とか和紙の極薄の物質を目尻の皺に直接貼り、皺を目立なくし、その上から化粧メークすることで、貼った物質も皺も目立なくする手法の技術文献の商品は見当らない。
【考案の概要】
【考案が解決しようとする課題】
【０００４】本願考案は、「カラスの足跡」という皺に悩む多くの女性に、人の肌にやさしい絹織物か和紙の素材を用い、人の肌に無害の接着剤を施し、素材は人の肌に近い色を使用する為、化粧メークも容易に仕上り、女性の美の追求に貢献し、皺を目立なくして美しさの保持の補助美容用品について安全性を第一に解決する。
【課題を解決するための手段】
【０００５】本願考案の「カラス貼り」は、直接目尻の皺の部分の肌に貼るため、美を追求する目的の為、具体的に「カラス貼り」に使用する素材は、自然な肌色の絹織物、自然な肌色の和紙、自然な接着剤などの人間の肌に無害な物で商品化する、第１の目的の美の追求の為の安全性を確保する。
【考案の効果】
【０００６】本願考案のカラス貼りは、中高年の女性が特に気になる目尻に出るカラスの足跡という皺について非常に気にする傾向がある、老けて見えることが原因と考えられるが、肌色のカラス貼を目尻の皺の箇所に直接貼り、更に貼ったカラス貼りの上に化粧メークを施し、全く目尻の皺もカラス貼りも目立たなくなり、中高年の女性が待ち望んだ画期的美容の補助用品として、必要とする人に感謝され、効果は絶大であると期待できる。
【図面の簡単な説明】
【０００７】
【図１】目尻に何もしない状態の姿図
【図２】目尻にカラス貼りを貼った状態の姿図▲１▼
【図３】カラス貼りの上に化粧メークを行った状態の姿図
【図４】図２のカラス貼▲１▼を拡大した図
【考案を実施するための形態】
【０００８】図２の姿図が基本であるが、図１の目尻の皺と箇所に、図２のカラス貼▲１▼を貼り、その上から化粧メークすることで図３の状態になる、図４は図２のカラス貼り▲１▼を拡大したもので形態は図２。
【実施例】
【０００９】図４の試作品を作り、目尻に図２のように糊を施した絹の織物を貼ってみたが、絹は薄いので貼った後の化粧メークがスムーズであり一日中貼っていたが違和感も無く、笑っても皺は目立なく若く見えた。
【産業上の利用可能性】
【００１０】本願考案のカラス貼りは、産業上、生産する価値が期待できる、更に専門的な創造を加え、安全で強力な接着剤で生産することで、本願考案のカラス貼りの需要は増大する。
【符合の説明】
▲１▼カラス貼りの形状と寸法を入れた図。
【図１】
0003190455.tif 000003
【図２】
0003190455.tif 000004
【図３】
0003190455.tif 000005
【図４】
0003190455.tif 000006
【手続補正書】
【提出日】平成26年2月24日(2014.2.24)
【手続補正１】
【補正対象書類名】実用新案登録請求の範囲
【補正対象項目名】全文
【補正方法】変更
【補正の内容】
【実用新案登録請求の範囲】
【請求項１】
本願考案は顔に出るカラスの足跡という皺やシミなどを目立なくするため、三角形もしくは台形などの形状をした極薄の絹識物または和紙または布の素材からなる肌色の物質の片面に接着剤を施したカラス貼りであって、目尻の皺やシミの上に直接貼り付け、その上から化粧メークを可能とすることを特徴とするカラス貼り。
(57)【要約】      （修正有）【課題】蓄光品を使ってスマートフォンカバーのキャラクター等が印刷された複雑なデザインを楽しむことが可能となる蓄光デザインスマートフォンカバー構造を提供する。【解決手段】スマートフォン用樹脂製透明カバー１と、表面にキャラクター、絵画、風景の複雑なデザインを印刷した透明シート２と、蓄光シート３とを組み合わせた蓄光デザインスマートフォンカバー構造であって、スマートフォン用樹脂製透明カバー１、透明シート２、蓄光シート３の順に重ねた三層の形状を有することを特長とする蓄光デザインスマートフォンカバー構造。【選択図】図１
0003190451.tif 000002
【実用新案登録請求の範囲】
【請求項１】
スマートフォンカバー本体（一般品、蓄光原料混合品）にキャラクター等のデザインを直接印刷せず、透明の樹脂カバーを使い、ＯＨＰ等の透明シートにキャラクター等の複雑なデザインを印刷し、ＯＨＰ等の透明シート越しに蓄光品の輝度を使って、暗い場所でもデザインを浮かび上らせることが可能となるＯＨＰ等の透明シートを蓄光品と透明の樹脂カバーを組み合せることを特徴とする蓄光デザインスマートフォンカバー構造の物品である。
【考案の詳細な説明】
【技術分野】
【０００１】本考案は、キャラクター等を印刷した複雑なデザインを蓄光品の輝度を利用し暗い場所でも、楽しむことができる蓄光デザインスマートフォンカバー構造に関する。【０００２】従来のスマートフォンカバーのデザインは明るい場所で楽しむように作られている。【０００３】しかしながら、従来のスマートフォンカバーは、暗い場所ではデザインを楽しむことが難しく、仮に楽しむ場合は、蛍光灯などの照明を点ける必要があった。
【先行技術文献】
【特許文献】
【０００４】
【特許文献１】
【非特許文献】
【０００５】
【非特許文献１】
【考案の概要】
【考案が解決しようとする課題】
【０００６】本考案は、以上のような従来の欠点に鑑み、蓄光品を使ってスマートフォンカバーのキャラクター等が印刷された複雑なデザインを楽しむことが可能となることを目的としている。
【課題を解決するための手段】
【０００７】上記目的を達成するために、本考案は（［請求項１］の構成要件）で、蓄光デザインスマートフォンカバー構造を構成している。
【考案の効果】
【０００８】以上の説明から明らかなように、本考案にあっては次に列挙する効果が得られる。
（１）（［請求項１］の構成要件）とで構成されているので、スマートフォンカバーのキャラクター等の印刷されたデザインを、蓄光品を使って暗い場所などでデザインを楽しむことができる。
【図面の簡単な説明】
【０００９】
【図１】本考案を実施するため最良の形態を示す構造図である。
【図２】蓄光デザインスマートフォンカバー製品（組合せ）図
【図３】蓄光デザインスマートフォンカバー（上面）
【図４】蓄光デザインスマートフォンカバー（側面）
【考案を実施するための形態】
【００１１】以下、本考案の実施形態を図に基づいて説明する。
【実施例１】
【００１２】［図１］  本考案を実施するため最良の形態を示す構造図である。
ポリカーボネート等の透明カバーで、透明印刷シートと蓄光品を包み込み、本体にセットする。【００１３】［図２］  蓄光デザインスマートフォンカバー製品（組合せ）図である。【００１４】［図３］  蓄光デザインスマートフォンカバー（上面）である。【００１５】［図４］  蓄光デザインスマートフォンカバー（側面）である。
【産業上の利用可能性】
【００１６】本考案は、蓄光デザインスマートフォンカバーを製造する産業で利用される。
【符号の説明】
【００１７】１  スマートフォン用樹脂製透明カバー
２  透明印刷シート
３  蓄光シート
４  スマートフォン本体（※参考図）
【図１】
0003190451.tif 000003
【図２】
0003190451.tif 000004
【図３】
0003190451.tif 000005
【図４】
0003190451.tif 000006
【手続補正書】
【提出日】平成26年2月19日(2014.2.19)
【手続補正１】
【補正対象書類名】実用新案登録請求の範囲
【補正対象項目名】全文
【補正方法】変更
【補正の内容】
【実用新案登録請求の範囲】
【請求項１】
スマートフォン用樹脂製透明カバーと、表面にキャラクター、絵画、風景の複雑なデザインを印刷した透明シートと、蓄光シートとを組み合わせた蓄光デザインスマートフォンカバー構造であって、スマートフォン用樹脂製透明カバー、透明シート、蓄光シートの順に重ねた三層の形状を有することを特長とする蓄光デザインスマートフォンカバー構造。
【手続補正２】
【補正対象書類名】明細書
【補正対象項目名】０００１
【補正方法】変更
【補正の内容】
【０００１】本考案は、キャラクター、絵画、風景を印刷した複雑なデザインを蓄光シートの輝度を利用し、暗い場所でも、楽しむことができる蓄光デザインスマートフォンカバー構造に関する。
【手続補正３】
【補正対象書類名】明細書
【補正対象項目名】０００６
【補正方法】変更
【補正の内容】
【０００６】本考案は、以上のような従来の欠点に鑑み、蓄光シートを使ってスマートフォンカバーのキャラクター、絵画、風景が印刷された複雑なデザインを暗い場所でも楽しむことが可能となることを目的としている。
【手続補正４】
【補正対象書類名】明細書
【補正対象項目名】０００８
【補正方法】変更
【補正の内容】
【０００８】以上の説明から明らかなように、本考案にあっては次に列挙する効果が得られる。
（１）（［請求項１］の構成要件）とで構成されているので、スマートフォンカバーのキャラクター、絵画、風景の印刷されたデザインを、蓄光シートを使って暗い場所などでデザインを楽しむことができる。
【手続補正５】
【補正対象書類名】明細書
【補正対象項目名】００１２
【補正方法】変更
【補正の内容】
【００１２】
【図１】  本考案を実施するため最良の形態を示す構造図である。樹脂製透明カバーで、透明印刷シートと蓄光シートを包み込み、スマートフォン本体にセットする。
【手続補正６】
【補正対象書類名】図面
【補正対象項目名】図２
【補正方法】変更
【補正の内容】
【図２】
0003190451.tif 000007
(57)【要約】      （修正有）【課題】重い荷物を傘を利用して楽に持つことができるようにする傘のフックを提供する。【解決手段】傘本体と中棒２と持ち手３からなる傘に取り付けるフック４であって、フックは、傘を閉じて傘先端を下に向けて持つ場合に、傘先端方向に荷物５を提げることができるように、持ち手に固定する。傘が荷物かけになり、閉じた傘と荷物を片手で持つことができ、重い荷物を少ない力で持つことができるようになる。【選択図】図１
0003190452.tif 000002
【実用新案登録請求の範囲】
【請求項１】
傘本体（１）と中棒（２）と持ち手（３）からなる傘に取り付けるフック（４）であって、傘を閉じて持つ場合に、フック（４）に荷物を指にかけるようにすることで、傘が荷物かけになり、傘と荷物を片手で持つことができ、重い荷物を少ない力で持つことができるようにしたことを特徴とする、傘のフック。
【考案の詳細な説明】
【技術分野】
【０００１】
本考案は傘の持ち手に取り付ける荷物かけ機能を備えたフックに関する。
【背景技術】
【０００２】
J型の傘の持ち手
【考案の概要】
【考案が解決しようとする課題】
【０００３】
傘を閉じた状態でさらに荷物を持って立つ場合に、傘と荷物の両方を持たなくてはならず、荷物が重い場合や、電車が混雑し肩掛けカバンやリュックを前に持たなくてはならない場合に、両手がふさがってしまうことや、手が疲れてしまうという状態を解決しようとするものである。
【課題を解決するための手段】
【０００４】
本考案は、傘の持ち手に荷物を引っ掛けるフックを付けることで、この問題を解決している。
【考案の効果】
【０００５】
傘の持ち手に荷物かけ用のフックを付けることにより、重い荷物を傘を利用して楽に持つことができるようにするものである。
【図面の簡単な説明】
【０００６】
【図１】傘本体（１）と中棒（２）とＪ字型の持ち手（３）に取り付けるフック（４）であって、持ち手（３）に、フック（４）が固定され、荷物（５）をかける機能を持つフック（４）。
【考案を実施するための形態】
【０００７】
以下、本考案の実施形態について説明する。
図１は本考案のフックを備えた傘の全体構成（外観図）である。傘の持ち手（３）はJ字型で、フック（４）が取り付けてあり、荷物をかける機能と従来の持ち手の機能も兼ね備える。
【実施例】
【０００８】
傘を折りたたみ、さらに荷物を持つとき、図１に示すように、持ち手（３）に取り付けられたフック（４）に荷物をかけることで、フックが荷物かけの機能を有する。
【産業上の利用可能性】
【０００９】
フック単体で生産し、既存の傘に取り付けられるようにすることで広く応用することができるが、フックつきの持ち手を有する傘を生産する方法もある。
また、このフックがあることで、傘を開いて使用指定時の持ち手の滑り止めの役目も果たすことができる。
【符号の説明】
【００１０】
１ 傘本体
２ 中棒
３ 持ち手
４ フック
５ 荷物
【図１】
0003190452.tif 000003
【手続補正書】
【提出日】平成26年3月4日(2014.3.4)
【手続補正１】
【補正対象書類名】実用新案登録請求の範囲
【補正対象項目名】全文
【補正方法】変更
【補正の内容】
【実用新案登録請求の範囲】
【請求項１】
傘本体（１）と中棒（２）と持ち手（３）からなる傘に取り付けるフック（４）であって、フック（４）は、傘を閉じて傘先端を下に向けて持つ場合に、傘先端方向に荷物を提げることができるように、持ち手（３）に固定することで、傘が荷物かけになり、閉じた傘と荷物を片手で持つことができ、重い荷物を少ない力で持つことができるようにしたことを特徴とする、傘のフック。